(57)【特許請求の範囲】
【請求項１】
複数ブランチで信号を受信する受信手段と、
受信信号の位相変動を補償するための位相補償係数をブランチ毎に算出する位相補償係数算出手段と、
各ブランチの前記位相補償係数を全ブランチの受信信号のレベルの和で各々除することにより位相変動及び振幅変動を同時に補償し得る補償係数をブランチ毎に生成する補償係数生成手段と、
各ブランチの前記補償係数を各ブランチの受信信号に乗じて各ブランチの受信信号の位相変動及び振幅変動を補償する補償手段と、
前記補償手段にて補償された各ブランチの受信信号を加算する加算手段と、
を具備することを特徴とする受信装置。
【請求項２】
複数ブランチで信号を受信する受信手段と、
受信信号の位相変動を補償するための位相補償係数をブランチ毎に算出する位相補償係数算出手段と、
各ブランチの前記位相補償係数を各ブランチの受信信号に乗ずることにより各ブランチの受信信号の位相変動を補償する位相変動補償手段と、
前記位相変動補償手段にて補償された各ブランチの受信信号を加算する加算手段と、
前記加算手段にて加算された受信信号を全ブランチの受信信号のレベルの和で除することにより受信信号の振幅変動を補償する振幅変動補償手段と、
を具備することを特徴とする受信装置。
【請求項３】
請求項１または請求項２記載の受信装置を具備することを特徴とする通信端末装置。
【請求項４】
請求項３記載の通信端末装置と無線通信を行うことを特徴とする基地局装置。
【請求項５】
請求項１または請求項２記載の受信装置を具備することを特徴とする基地局装置。
【請求項６】
請求項５記載の基地局装置と無線通信を行うことを特徴とする通信端末装置。
【請求項７】
複数ブランチで信号を受信するステップと、
受信信号の位相変動を補償するための位相補償係数をブランチ毎に算出するステップと、
各ブランチの前記位相補償係数を全ブランチの受信信号のレベルの和で各々除することにより位相変動及び振幅変動を同時に補償し得る補償係数をブランチ毎に生成するステップと、
各ブランチの前記補償係数を各ブランチの受信信号に乗じて各ブランチの受信信号の位相変動及び振幅変動を補償するステップと、
補償された各ブランチの受信信号を加算するステップと、
を具備することを特徴とする最大比合成ダイバーシチ方法。
【請求項８】
複数ブランチで信号を受信するステップと、
受信信号の位相変動を補償するための位相補償係数をブランチ毎に算出するステップと、
各ブランチの前記位相補償係数を各ブランチの受信信号に乗ずることにより各ブランチの受信信号の位相変動を補償するステップと、
補償された各ブランチの受信信号を加算するステップと、
加算された受信信号を全ブランチの受信信号のレベルの和で除することにより受信信号の振幅変動を補償するステップと、
を具備することを特徴とする最大比合成ダイバーシチ方法。
【発明の詳細な説明】
【０００１】
【発明の属する技術分野】
本発明は、受信装置に関し、特にＯＦＤＭ方式の移動体通信に用いられる受信装置及びその最大比合成ダイバーシチ方法に関する。
【０００２】
【従来の技術】
ダイバーシチ方式の一つとして、最大比合成ダイバーシチが提案されている。最大比合成ダイバーシチは、例えば等利得合成ダイバーシチと比較すると、誤り率特性に優れているという利点を持っている。
【０００３】
従来提案されている最大比合成ダイバーシチ方法としては、例えば、信学論Ｂ−ＩＩ  Ｖｏｌ．Ｊ７３−Ｂ−ＩＩ  Ｎｏ．４  ｐｐ．１６５−１７２において須永氏らから提案されている方法、及び信学技報ＲＣＳ９２−１２２において三瓶氏らより提案されている方法がある。両者の内容はほぼ同じであり、以下、両者をまとめて従来の方法と呼ぶ。
【０００４】
従来の最大比合成ダイバーシチ方法は、最初に各ブランチからの受信信号に対して位相補償を行い、次に振幅補償を行い、最後に最大比合成を行うものである。
【０００５】
以下、図４及び図５を用いて、従来の受信装置について説明する。図４は、従来の受信装置の概略構成を示す要部ブロック図であり、図５は、従来の受信装置の同期検波器の概略構成を示す要部ブロック図である。
【０００６】
なお、前述の２つの文献には、最大比合成ダイバーシチを実現するための具体的な回路構成の開示はなく、具体的な方法としては下記計算式のみの開示がなされている。文献では、合成処理後の同期検波信号をｙ（ｔ）として、
ｙ（ｔ）＝ａ1（ｔ）・ｖ1（ｔ）＋ａ2（ｔ）・ｖ2（ｔ）
と表わされている。但し、ブランチ数は２であり、受信複素ベースバンド信号をｕ1（ｔ）及びｕ2（ｔ）とし、振幅値をそれぞれｒ1、ｒ2として、
ｖ1（ｔ）＝ｕ1（ｔ）・ｅｘｐ（−ｊθ1（ｔ））
ｖ2（ｔ）＝ｕ2（ｔ）・ｅｘｐ（−ｊθ2（ｔ））
ａ1（ｔ）＝ｒ1（ｔ）／｛ｒ12（ｔ）＋ｒ22（ｔ）｝
ａ2（ｔ）＝ｒ2（ｔ）／｛ｒ12（ｔ）＋ｒ22（ｔ）｝
である。
図５は、上記開示されている計算式を忠実に回路構成で表わしたものである。
【０００７】
図４において、Ａ／Ｄ変換器４０１、４０２は、各ブランチから受信された受信信号をＡ／Ｄ変換し、ＦＦＴ処理部４０３、４０４は、Ａ／Ｄ変換処理後の各ブランチからの受信信号をフーリエ変換処理し、同期検波器４０５は、フーリエ変換処理後の各ブランチからの受信信号を同期検波処理し、最大比合成処理し、復調信号として出力する。
【０００８】
同期検波器４０５の概略構成を示す図５において、スイッチ５０１は、シンボル同期タイミングに応じて、ＦＦＴ処理後のブランチ１からの受信信号中のパイロットシンボルは乗算器５０３に、データシンボルは乗算器５１６に、それぞれ出力する。スイッチ５０２は、シンボル同期タイミングに応じて、ＦＦＴ処理後のブランチ２からの受信信号中のパイロットシンボルは乗算器５０４に、データシンボルは乗算器５１７に、それぞれ出力する。
【０００９】
乗算器５０３は、ブランチ１からの受信信号中のパイロットシンボルと予め保持するパイロットシンボルを掛け合わせ、相関値を出力する。乗算器５０４は、ブランチ２からの受信信号中のパイロットシンボルと予め保持するパイロットシンボルを掛け合わせ、相関値を出力する。
【００１０】
２乗和演算器５０５は、ブランチ１からの受信信号中のパイロットシンボルのＩ成分及びＱ成分の２乗和、すなわちレベル情報を算出し、加算器５０７に出力する。２乗和演算器５０６は、ブランチ１からの受信信号中のパイロットシンボルのＩ成分及びＱ成分の２乗和、すなわちレベル情報を算出し、加算器５０７に出力する。加算器５０７は、各ブランチからの受信信号中のパイロットシンボルのＩ成分及びＱ成分の２乗和を加算し、除算器５１８及び除算器５１９に出力する。
【００１１】
√２乗和演算器５０８は、ブランチ１からの受信信号中のパイロットシンボルのＩ成分及びＱ成分の２乗和を算出し、更に√演算を行ってパイロットシンボル区間の振幅を算出し、除算器５１０及び除算器５１８に出力する。√２乗和演算器５０９は、ブランチ２からの受信信号中のパイロットシンボルのＩ成分及びＱ成分の２乗和を算出し、更に√演算を行ってパイロットシンボル区間の振幅を算出し、除算器５１１及び除算器５１９に出力する。
【００１２】
除算器５１０は、乗算器５０３の出力である相関値を√２乗和演算器５０８の出力である振幅情報で除する。除算器５１１は、乗算器５０４の出力である相関値を√２乗和演算器５０９の出力である振幅情報で除する。
【００１３】
共役生成部５１２は、除算器５１０の出力信号を極性反転させて共役複素数を算出し、スイッチ５１４に出力する。共役生成部５１３は、除算器５１１の出力信号を極性反転させて共役複素数を算出し、スイッチ５１５に出力する。
【００１４】
スイッチ５１４は、シンボル同期タイミングに基づいて、ＦＦＴ処理後のブランチ１からの受信信号中のデータシンボル区間の信号が乗算器５１６に入力されている間だけ共役生成部５１２の出力である共役複素数を乗算器５１６に出力する。スイッチ５１５は、シンボル同期タイミングに基づいて、ＦＦＴ処理後のブランチ２からの受信信号中のデータシンボル区間の信号が乗算器５１７に入力されている間だけ共役生成部５１３の出力である共役複素数を乗算器５１７に出力する。
【００１５】
乗算器５１６は、ＦＦＴ処理後のブランチ１からの受信信号中のデータシンボル区間の信号に、共役生成部５１２の出力である共役複素数を掛け合わせ、受信信号の位相回転を補償する。乗算器５１７は、ＦＦＴ処理後のブランチ２からの受信信号中のデータシンボル区間の信号に、共役生成部５１３の出力である共役複素数を掛け合わせ、受信信号の位相回転を補償する。
【００１６】
除算器５１８は、√２乗和演算器５０８の出力である振幅情報を、各ブランチからの受信信号のレベル情報の和で除し、ブランチ１からの受信信号に対する振幅補正係数を算出し、乗算器５２０に出力する。除算器５１９は、√２乗和演算器５０９の出力である振幅情報を、各ブランチからの受信信号のレベル情報の和で除し、ブランチ２からの受信信号に対する振幅補正係数を算出し、乗算器５２１に出力する。
【００１７】
乗算器５２０は、乗算器５１６の出力である位相補償後のブランチ１からの受信信号に対して、除算器５１８の出力である振幅補正係数を掛け合わせ、振幅補償を行う。乗算器５２１は、乗算器５１７の出力である位相補償後のブランチ２からの受信信号に対して、除算器５１９の出力である振幅補正係数を掛け合わせ、振幅補償を行う。
【００１８】
加算器５２２は、乗算器５２０の出力である位相及び振幅が補償されたブランチ１からの受信信号と、乗算器５２１の出力である位相及び振幅が補償されたブランチ２からの受信信号と、を加算し、最大比合成された同期検波信号を出力する。
【００１９】
このように、従来の最大比合成ダイバーシチは、各ブランチからの受信信号の位相を補償し、次いで振幅を補償し、最後に最大比合成することによって、他のダイバーシチ方法に比べて優れた誤り率特性を実現する。
【００２０】
【発明が解決しようとする課題】
しかしながら、従来の受信装置及びその最大比合成ダイバーシチ方法においては、ハード規模が大きくなるという問題がある。
【００２１】
本発明はかかる点に鑑みてなされたものであり、誤り率特性を劣化させずにハード規模を削減する受信装置及びその最大比合成ダイバーシチ方法を提供することを目的とする。
【００２２】
【課題を解決するための手段】
本発明の骨子は、位相及び振幅を同時に補償する補償係数を算出し、各ブランチのレベル情報の和で除算してから対応する各受信信号に乗じ、加算することによって、受信信号に対して位相補償及び振幅補償及び最大比合成を同時に行い、最大比合成ダイバーシチを行う受信装置のハード規模削減を図ることである。
【００２３】
【発明の実施の形態】
本発明の受信装置は、複数ブランチで信号を受信する受信手段と、受信信号の位相変動を補償するための位相補償係数をブランチ毎に算出する位相補償係数算出手段と、各ブランチの前記位相補償係数を全ブランチの受信信号のレベルの和で各々除することにより位相変動及び振幅変動を同時に補償し得る補償係数をブランチ毎に生成する補償係数生成手段と、各ブランチの前記補償係数を各ブランチの受信信号に乗じて各ブランチの受信信号の位相変動及び振幅変動を補償する補償手段と、前記補償手段にて補償された各ブランチの受信信号を加算する加算手段と、を具備する構成を採る。
【００２４】
本発明の受信装置は、複数ブランチで信号を受信する受信手段と、受信信号の位相変動を補償するための位相補償係数をブランチ毎に算出する位相補償係数算出手段と、各ブランチの前記位相補償係数を各ブランチの受信信号に乗ずることにより各ブランチの受信信号の位相変動を補償する位相変動補償手段と、前記位相変動補償手段にて補償された各ブランチの受信信号を加算する加算手段と、前記加算手段にて加算された受信信号を全ブランチの受信信号のレベルの和で除することにより受信信号の振幅変動を補償する振幅変動補償手段と、を具備する構成を採る。
【００２５】
本発明の最大比合成ダイバーシチ方法は、複数ブランチで信号を受信するステップと、受信信号の位相変動を補償するための位相補償係数をブランチ毎に算出するステップと、各ブランチの前記位相補償係数を全ブランチの受信信号のレベルの和で各々除することにより位相変動及び振幅変動を同時に補償し得る補償係数をブランチ毎に生成するステップと、各ブランチの前記補償係数を各ブランチの受信信号に乗じて各ブランチの受信信号の位相変動及び振幅変動を補償するステップと、補償された各ブランチの受信信号を加算するステップと、を具備するようにした。
【００２６】
本発明の最大比合成ダイバーシチ方法は、複数ブランチで信号を受信するステップと、受信信号の位相変動を補償するための位相補償係数をブランチ毎に算出するステップと、各ブランチの前記位相補償係数を各ブランチの受信信号に乗ずることにより各ブランチの受信信号の位相変動を補償するステップと、補償された各ブランチの受信信号を加算するステップと、加算された受信信号を全ブランチの受信信号のレベルの和で除することにより受信信号の振幅変動を補償するステップと、を具備するようにした。
【００４２】
以下、本発明の実施の形態について、図面を参照して詳細に説明する。なお、ここでは、既知信号としてパイロットシンボルを用いるものとする。
【００４３】
（実施の形態１）
本実施の形態に係る受信装置は、同期検波回路において、位相補償及び振幅補償及び最大比合成を同時に行うことによって、ハード規模の削減を図るものである。
【００４４】
以下、図１を用いて、本実施の形態に係る受信装置について説明する。図１は、本発明の実施の形態１に係る受信装置の同期検波器の概略構成を示す要部ブロック図である。なお、受信装置全体のブロック図は、従来と同様であるため、省略する。
【００４５】
図１において、スイッチ１０１は、シンボル同期タイミングに応じて、ＦＦＴ処理後のブランチ１からの受信信号中のパイロットシンボルは乗算器１０３に、データシンボルは乗算器１１４に、それぞれ出力する。スイッチ１０２は、シンボル同期タイミングに応じて、ＦＦＴ処理後のブランチ２からの受信信号中のパイロットシンボルは乗算器１０４に、データシンボルは乗算器１１５に、それぞれ出力する。
【００４６】
乗算器１０３は、ブランチ１からの受信信号中のパイロットシンボルと予め保持するパイロットシンボルを掛け合わせ、相関値を出力する。乗算器１０４は、ブランチ２からの受信信号中のパイロットシンボルと予め保持するパイロットシンボルを掛け合わせ、相関値を出力する。
【００４７】
２乗和演算器１０５は、ブランチ１からの受信信号中のパイロットシンボルのＩ成分及びＱ成分の２乗和、すなわちレベル情報を算出し、加算器１０７に出力する。２乗和演算器１０６は、ブランチ１からの受信信号中のパイロットシンボルのＩ成分及びＱ成分の２乗和、すなわちレベル情報を算出し、加算器１０７に出力する。加算器１０７は、各ブランチからの受信信号中のパイロットシンボルのＩ成分及びＱ成分の２乗和を加算し、除算器１１０及び除算器１１１に出力する。
【００４８】
共役生成部１０８は、乗算器１０３の出力信号を極性反転させて共役複素数を算出し、除算器１１０に出力する。共役生成部１０９は、乗算器１０４の出力信号を極性反転させて共役複素数を算出し、除算器１１１に出力する。
【００４９】
除算器１１０は、共役生成器１０８から出力された位相補償係数である共役複素数を、乗算器１０７の出力である各ブランチからの受信信号のレベル情報の和で除する。除算器１１１は、共役生成器１０９から出力された位相補償係数である共役複素数を、乗算器１０７の出力である各ブランチからの受信信号のレベル情報の和で除する。
【００５０】
スイッチ１１２は、シンボル同期タイミングに基づいて、ＦＦＴ処理後のブランチ１からの受信信号中のデータシンボル区間の信号が乗算器１１４に入力されている間だけ除算器１１０の出力である共役複素数を乗算器１１４に出力する。スイッチ１１３は、シンボル同期タイミングに基づいて、ＦＦＴ処理後のブランチ２からの受信信号中のデータシンボル区間の信号が乗算器１１５に入力されている間だけ除算器１１１の出力である共役複素数を乗算器１１５に出力する。
【００５１】
乗算器１１４は、ＦＦＴ処理後のブランチ１からの受信信号中のデータシンボル区間の信号に、除算器１１０の出力である位相・振幅補償係数を掛け合わせ、受信信号の位相及び振幅を補償する。乗算器１１５は、ＦＦＴ処理後のブランチ２からの受信信号中のデータシンボル区間の信号に、除算器１１１の出力である位相・振幅補償係数を掛け合わせ、受信信号の位相及び振幅を補償する。
【００５２】
加算器１１６は、乗算器１１４の出力である位相及び振幅が補償されたブランチ１からの受信信号と、乗算器１１５の出力である位相及び振幅が補償されたブランチ２からの受信信号と、を加算し、最大比合成された同期検波信号を出力する。
【００５３】
次いで、上記構成を有する受信装置の位相補償及び振幅補償及び最大比合成の動作について説明する。
【００５４】
ブランチ１から受信された受信信号をＲＸ1と表わすものとすると、この受信信号には、位相変動及び振幅変動が生じているため、
ＲＸ1＝Ｒ1・ｅjθ1・ＴＸ
と表わすことができる。但し、ここで、Ｒ1はフェージング等による振幅変動を表わし、θ1はフェージング等による位相変動を表わし、ＴＸは送信局における送信信号を表わしている。
【００５５】
受信信号ＲＸ1は、スイッチ１０１によって、パイロットシンボル区間は乗算器１０３に出力され、データシンボル区間は乗算器１１４に出力される。
【００５６】
ここで、パイロットシンボルをＰｉで表わすものとすると、乗算器１０３に入力される、受信信号ＲＸ1のパイロットシンボル区間の信号ＲＸＰ1は、
ＲＸＰ1＝Ｒ1・ｅjθ1・Ｐｉ
と表わすことができる。
【００５７】
乗算器１０３に入力された信号ＲＸＰ1は、乗算器１０３によって、予め保持されたパイロットシンボルＰｉの共役複素数Ｐｉ*が乗ぜられ、位相補償係数となる伝搬路推定結果が算出される。ここで、伝搬路推定結果をＰｒ1とすると、｜Ｐｉ｜2＝１であるから、
0003737314.tif 000002
となる。これが、ブランチ１の位相補償係数として、乗算器１０３から出力される。
【００５８】
同様に、乗算器１０４から出力されるブランチ２の伝搬路推定結果Ｐｒ2は、Ｐｒ2＝Ｒ2・ｅjθ2
と表わすことができる。
【００５９】
又、各ブランチからの受信信号のパイロットシンボル区間の信号ＲＸＰ1及びＲＸＰ2は、共役生成部１０８、１０９によって、それぞれ極性反転され、共役複素数が出力される。
【００６０】
又、各ブランチからの受信信号のパイロットシンボル区間の信号ＲＸＰ1及びＲＸＰ2は、２乗和演算器１０５、１０６によって、それぞれ２乗和（Ｒ12、Ｒ22）が算出され、算出された各２乗和値は、加算器１０７によって加算され（Ｒ12＋Ｒ22）、除算器１１０、１１１に出力される。
【００６１】
共役生成部１０８、１０９の出力である極性反転された各ブランチの伝搬路推定結果Ｐｒ1*、Ｐｒ2*は、除算器１１０、１１１によって、乗算器１０７の出力である各ブランチのレベル情報の和（Ｒ12＋Ｒ22）で除算処理され、振幅補償係数としての意味も含ませられる。
【００６２】
除算器１１０の出力であるブランチ１からの受信信号に対する位相・振幅補償係数は、乗算器１１４においてブランチ１からの受信信号ＲＸ1に乗ぜられ、復調信号ＤＥＭＯＤ１を得る。ここで、ＤＥＭＯＤ１は、
0003737314.tif 000003
と表わすことができる。同様に、乗算器１１５の出力である復調信号ＤＥＭＯＤ２は、
ＤＥＭＯＤ２＝Ｒ22・ＴＸ／（Ｒ12＋Ｒ22）
と表わすことができる。
【００６３】
ＤＥＭＯＤ１及びＤＥＭＯＤ２は、加算器１１６によって加算され、最大比合成後の同期検波信号ＤＥＭＯＤを得る。ここで、ＤＥＭＯＤは、
0003737314.tif 000004
と表わすことができ、位相変動及び振幅変動を取り除くことができる。
【００６４】
このように、本実施の形態によれば、位相及び振幅を同時に補償する補償係数を算出し、各ブランチのレベル情報の和で除算してから受信信号に乗じ、加算することによって、受信信号に対して位相補償及び振幅補償及び最大比合成を同時に行うことができるため、最大比合成ダイバーシチを行う受信装置のハード規模を削減することができる。
【００６５】
（実施の形態２）
本実施の形態に係る受信装置は、実施の形態１と同様の構成を有し、但し各ブランチのレベル情報の和による除算を合成処理後に行うものである。
【００６６】
実施の形態１で述べた処理について、Ｐｒ1*とＰｒ2*とを合成してから各ブランチのレベル情報の和（Ｒ12＋Ｒ22）で除算しても結果は変わらないことに鑑み、本実施の形態においては、各ブランチのレベル情報の和での除算を合成後にまとめて行い、ハード規模を更に削減する。
【００６７】
以下、図２を用いて、本実施の形態に係る受信装置について説明する。図２は、本発明の実施の形態２に係る受信装置の同期検波器の概略構成を示す要部ブロック図である。なお、実施の形態１と同様の構成には同一の符号を付し、詳しい説明は省略する。
【００６８】
図２において、加算器２０１は、各ブランチのレベル情報を加算し、除算器２０７に出力する。
【００６９】
スイッチ２０２は、シンボル同期タイミングに基づいて、ＦＦＴ処理後のブランチ１からの受信信号中のデータシンボル区間の信号が乗算器２０４に入力されている間だけ共役生成部１０８の出力であるＰｒ1*を乗算器２０４に出力する。スイッチ２０３は、シンボル同期タイミングに基づいて、ＦＦＴ処理後のブランチ２からの受信信号中のデータシンボル区間の信号が乗算器２０５に入力されている間だけ共役生成部１０９の出力であるＰｒ2*を乗算器２０５に出力する。
【００７０】
乗算器２０４は、ＦＦＴ処理後のブランチ１からの受信信号中のデータシンボル区間の信号に、Ｐｒ1*を掛け合わせ、ブランチ１からの受信信号の位相を補償する。乗算器２０５は、ＦＦＴ処理後のブランチ２からの受信信号中のデータシンボル区間の信号に、Ｐｒ2*を掛け合わせ、ブランチ２からの受信信号の位相を補償する。
【００７１】
加算器２０６は、乗算器２０４の出力である位相が補償されたブランチ１からの受信信号と、乗算器２０５の出力である位相が補償されたブランチ２からの受信信号と、を加算する。
【００７２】
除算器２０７は、加算器２０６の出力を加算器２０１の出力である各ブランチからの受信信号のレベル情報の和で除算し、位相及び振幅が補償され、最大比合成された同期検波信号を得る。
【００７３】
このように、本実施の形態によれば、位相補償及び振幅補償及び最大比合成を同時に行う同期検波回路において、各ブランチのレベル情報の和での除算を合成後にまとめて行うため、ハード規模を更に削減することができる。
【００７４】
なお、振幅に情報が重畳されていない変調方式（例えば、ＱＰＳＫ、８ＰＳＫなど）に適用した場合、振幅補償が必要でなく、すなわち合成後の信号を各ブランチのレベル情報の和で除算する必要がないため、図３に示すように、図２の場合と比較して、除算器２０７、２乗和演算器１０５、１０６、及び加算器２０１を省く更に簡素な構成とすることができる。
【００７５】
なお、上記実施の形態１から実施の形態２においては、ブランチ数が２の場合について説明したが、本発明の適用は上記条件に限定されるものではなく、ブランチ数がいくつであっても本発明を適用し、本発明の効果を得ることができる。
【００７６】
又、上記実施の形態１から実施の形態２においては、既知信号としてパイロットシンボルを用いる場合について説明したが、本発明の適用は上記条件に限定されるものではなく、いかなる既知信号であってもよい。
【００７７】
又、上記実施の形態１から実施の形態２においては、ＯＦＤＭ方式の移動体通信に用いられる受信装置について説明したが、最大比合成ダイバーシチを行う受信装置であれば、本発明を適用することができる。
【００７８】
【発明の効果】
以上説明したように、本発明によれば、位相及び振幅を同時に補償する補償係数を算出し、各ブランチのレベル情報の和で除算してから対応する各受信信号に乗じ、加算することによって、受信信号に対して位相補償及び振幅補償及び最大比合成を同時に行う構成を採るため、誤り率特性を劣化させずにハード規模を削減することができる。
【図面の簡単な説明】
【図１】本発明の実施の形態１に係る受信装置の同期検波器の概略構成を示す要部ブロック図
【図２】本発明の実施の形態２に係る受信装置の同期検波器の概略構成を示す要部ブロック図
【図３】本発明の実施の形態２に係る受信装置の別の同期検波器の概略構成を示す要部ブロック図
【図４】従来の受信装置の概略構成を示す要部ブロック図
【図５】従来の受信装置の同期検波器の概略構成を示す要部ブロック図
【符号の説明】
１０５、１０６  ２乗和演算器
１０７  加算器
１１０、１１１  除算器
１１６  加算器
【図１】
0003737314.tif 000005
【図２】
0003737314.tif 000006
【図３】
0003737314.tif 000007
【図４】
0003737314.tif 000008
【図５】
0003737314.tif 000009